(57)【要約】【課題】外壁タイルを外壁下地に螺子で締結することはせず、この外壁下地の不陸の影響を軽減して極力フラットな外壁タイル仕上げ面を形成できるタイル貼り外壁構造を提供する。【解決手段】外壁タイル１の上部側１ａの裏面に、首部および当該首部よりも大きな頭部を有する係合突起部１１が設けられており、上記外壁タイル１が取り付けられる外壁下地２０に上記係合突起部１１が掛けられる凹所２０ａが設けられており、上記外壁タイル１の上部側１ａおよび上記凹所２０ａは、１つ上側に設けられる他の外壁タイル１で覆われる．【選択図】図１
2017227047.tif 000002
【特許請求の範囲】
【請求項１】
外壁タイルの上部側の裏面に、首部および当該首部よりも大きな頭部を有する係合突起部が設けられており、上記外壁タイルが取り付けられる外壁下地に上記係合突起部が掛けられる凹所が設けられており、上記外壁タイルの少なくとも上部側が、上側に設けられる他の外壁タイルで覆われることを特徴とするタイル貼り外壁構造。
【請求項２】
請求項１に記載のタイル貼り外壁構造において、上記凹所内には受け部材が装着されており、この受け部材には、上記係合突起部の頭部が収容される頭部収容部と、上記係合突起部の首部を下方にスライドさせることができる首部収容部とが形成されていることを特徴とするタイル貼り外壁構造。
【請求項３】
請求項１または請求項２に記載のタイル貼り外壁構造において、上記外壁下地に板状部材が設けられており、上記凹所が位置する上記板状部材の対応箇所には、上記係合突起部が通される孔部が形成されていることを特徴とするタイル貼り外壁構造。
【請求項４】
請求項３に記載のタイル貼り外壁構造において、上記孔部の上部側には上記係合突起部の頭部が挿通できる挿通部が形成されており、上記孔部の下部側には上記係合突起部の首部を下方にスライドさせることができるスライド部が形成されていることを特徴とするタイル貼り外壁構造。
【請求項５】
請求項３または請求項４に記載のタイル貼り外壁構造において、上記板状部材が水平方向に複数枚離間して設けられており、各板状部材には上記孔部が縦に所定間隔で配置された列が複数列形成されていることを特徴とするタイル貼り外壁構造。
【請求項６】
請求項５に記載のタイル貼り外壁構造において、上記板状部材は、左右に隣り合う外壁下地の間に形成される縦目地を塞がないように当該縦目地の左右両側に設けられており、上記外壁タイルが上記縦目地を塞ぐように設けられることを特徴とするタイル貼り外壁構造。
【請求項７】
請求項５または請求項６に記載のタイル貼り外壁構造において、上記板状部材は、上下に配置される外壁下地の間に形成される横目地を塞がないように、上下に連続するように設けられており、上記外壁タイルが上記横目地を塞ぐように設けられることを特徴とするタイル貼り外壁構造。
【発明の詳細な説明】
【技術分野】
【０００１】
この発明は、外壁下地に外壁タイルを引っ掛けて設けるようにしたタイル貼り外壁構造に関する。
【背景技術】
【０００２】
タイル貼り外壁構造を得る従来工法としては、専用ベースボードの凸部に外壁タイル裏の凹部を引っ掛け、金具や接着剤等で固定する引っ掛け工法、タイル専用の窯業系サイディングに直接に外壁タイルを接着剤で貼り付ける接着剤貼り工法等が知られている。
【０００３】
また、特許文献１には、建築物の外壁面に並べて施工される外壁タイル材が開示されている。この外壁タイル材は、当該外壁タイル材同士を面方向に連結する相決り（あいじゃくり）継手となる表側凸部および裏側凸部と、この裏側凸部に間隔をあけて複数個所に配置され、裏側凸部を貫通し、外壁タイル材を建築物の外壁面に固定する固定具が挿入される取付孔と、裏側凸部の裏面側で取付孔を囲んで配置され、裏側凸部の裏面よりも凹んでいて、コーキング剤が充填される充填凹部とを備える。
【先行技術文献】
【特許文献】
【０００４】
【特許文献１】特開２００５−１６３４４４号公報
【発明の概要】
【発明が解決しようとする課題】
【０００５】
しかしながら、上記接着剤貼り工法では、下地面の不陸を調整(抑制)するための作業が必要になるという問題がある。また、上記引っ掛け工法では、隣接するタイル間に重ね代が無く、タイル間の目地部の隙間をあけておく空目地を採用した場合には、雨水が浸入し易いという問題がある。また、上記特許文献１のタイル貼り外壁構造では、隣接するタイル間に重ね代が存在するため、空目地でも雨水が浸入し難いという利点があるものの、固定具（螺子釘）によって外壁タイル材を外壁面に固定する構造であるため、外壁下地の不陸が反映されやすく、外壁タイル仕上げ面がフラットになり難いという欠点がある。
【０００６】
この発明は、上記の事情に鑑み、空目地でも雨水が浸入し難く、外壁下地の不陸の影響を軽減して極力フラットな外壁タイル仕上げ面を形成できるタイル貼り外壁構造を提供することを目的とする。
【課題を解決するための手段】
【０００７】
この発明のタイル貼り外壁構造は、上記の課題を解決するために、外壁タイルの上部側の裏面に、首部および当該首部よりも大きな頭部を有する係合突起部が設けられており、上記外壁タイルが取り付けられる外壁下地に上記係合突起部が掛けられる凹所が設けられており、上記外壁タイルの少なくとも上部側が、上側に設けられる他の外壁タイルで覆われることを特徴とする。
【０００８】
上記の構成であれば、上記外壁タイルの上部側の裏面に設けられた係合突起部を、上記凹所に引っ掛けることによって上記外壁タイルが上記外壁下地に貼られていくことになる。すなわち、外壁タイルは外壁下地に螺子等で固定されず、位置的な融通性（自由度）が得られるので、外壁下地の不陸の影響を軽減して極力フラットな外壁タイル仕上げ面を形成することが容易となる。また、上記外壁タイルの少なくとも上部側が、上側に設けられる他の外壁タイルで覆われるため、上下配置の外壁タイルの目地が空目地でも雨水が浸入し難い。もちろん、上部側だけでなく、左右側でも重なるようにしておけば、左右配置の外壁タイルの目地が空目地でも雨水が浸入し難くなる。
【０００９】
上記凹所内には受け部材が装着されており、この受け部材には、上記係合突起部の頭部が収容される頭部収容部と、上記係合突起部の首部を下方にスライドさせることができる首部収容部とが形成されていてもよい。これによれば、上記外壁タイルによる荷重が上記凹所に直接加わらず、上記受け部材を介して凹所に加わるため、この凹所の欠け等を抑制することができる。
【００１０】
上記外壁下地に板状部材が設けられており、上記凹所が位置する上記板状部材の対応箇所には、上記係合突起部が通される孔部が形成されていてもよい。これによれば、上記外壁タイルは上記板状部材の表面位置を基準に配置されることになる。上記外壁下地の表面よりも上記板状部材の表面をフラットに形成することは容易であるので、フラットな外壁タイル仕上げ面を形成することが容易になる。また、上記板状部材によって上記外壁下地が補強される利点もある。
【００１１】
上記孔部の上部側には上記係合突起部の頭部が挿通できる挿通部が形成されており、上記孔部の下部側には上記係合突起部の首部を下方にスライドさせることができるスライド部が形成されていてもよい。これによれば、上記孔部が上記首部収容部と同様の部位を持つことになり、上記外壁タイルの支持がより強固に行えるようになる。
【００１２】
上記板状部材が水平方向に複数枚離間して設けられており、各板状部材には上記孔部が縦に所定間隔で配置された列が複数列形成されていてもよい。これによれば、水平方向に隣り合って配置される一方の側の外壁タイルの係合突起部用として上記複数列のうちの例えば１列を用いるとともに、他方の側の外壁タイルの係合突起部用として他の列を用いて上記外壁タイルを取り付けていくことができる。また、水平に隣り合う板状部材の間に配置される上記外壁タイルと上記外壁下地との間に、上記板状部材の板厚に対応する隙間部が形成され、この隙間部によって雨水を排水することができる。
【００１３】
上記板状部材は、左右に隣り合う外壁下地の間に形成される縦目地を塞がないように当該縦目地の左右両側に設けられており、上記外壁タイルが上記縦目地を塞ぐように設けられていてもよい。これによれば、左右に隣り合う外壁下地に多少の出入りがあっても、上記外壁タイルは上記外壁下地に螺子等で固定されず、位置的な融通性が得られることから、上記外壁タイルを取り付けることが可能であり、また、左右に隣り合う外壁下地に多少の出入りがあることによる不陸を目立たなくすることができる。また、左右に隣り合う外壁下地は、地震等でずれ動くことが生じるが、上記のように、上記外壁タイルは、上記外壁下地に螺子等で締結されず、位置的な融通性が得られていることから、上記外壁下地の面内方向のずれ動きに対する障害になり難く、また、面外方向のずれ動きによる外壁タイルの割れも軽減できる。
【００１４】
上記板状部材は、上下に配置される外壁下地の間に形成される横目地を塞がないように、上下に連続するように設けられており、上記外壁タイルが上記横目地を塞ぐように設けられていてもよい。これによれば、上下に配置される外壁下地に多少の出入りがあっても、上記外壁タイルは、上記外壁下地に螺子等で固定されず、位置的な融通性が得られることから、上記外壁タイルを取り付けることが可能であり、また、上下に配置される外壁下地に多少の出入りがあることによる不陸を目立たなくすることができる。また、上記と同様、上記外壁タイルは、上記外壁下地に螺子等で締結されず、位置的な融通性が得られていることから、上記外壁下地の面内方向のずれ動きに対する障害になり難く、また、面外方向のずれ動きによる外壁タイルの割れも軽減できる。
【発明の効果】
【００１５】
本発明であれば、外壁タイルを外壁下地にネジ等で固定せず、この外壁下地の不陸の影響を軽減して極力フラットな外壁タイル仕上げ面を形成できるという効果を奏する。
【図面の簡単な説明】
【００１６】
【図１】本発明の実施形態にかかるタイル貼り外壁構造を垂直断面により示した説明図である。
【図２】図１のタイル貼り外壁構造を水平断面により示した説明図である。
【図３】図１のタイル貼り外壁構造で用いた外壁タイルを示した図であって、同図（Ａ）は正面図、同図（Ｂ）は側面図、同図（Ｃ）は同図（Ａ）のＡ−Ａ矢視の概略の断面である。
【図４】図１のタイル貼り外壁構造で用いた受け部材を示した図であって、同図（Ａ）は正面図、同図（Ｂ）は概略の断面図である。
【図５】同図（Ａ）は本発明の実施形態にかかるタイル貼り外壁構造の正面図であり、同図（Ｂ）は図２に対応した図であって一壁部の略全体を示した図であり、同図（Ｃ）は図１に対応した図であって一壁部の略全体を示した図である。
【図６】図１のタイル貼り外壁構造で用いた板状部材の孔部の形状例を示した説明図である。
【発明を実施するための形態】
【００１７】
以下、この発明の実施の形態を添付図面に基づいて説明する。
この実施形態にかかるタイル貼り外壁構造においては、図１および図２に示すように、各外壁タイル１の上部側１ａの裏面には左右２箇所に係合突起部１１が設けられており、上記外壁タイル１が取り付けられる外壁下地２０には、上記係合突起部１１が引っ掛けられる凹所２０ａが設けられており、上記外壁タイル１の上部側１ａおよび上記凹所２０ａが、１つ上側に設けられる他の外壁タイル１の下部側１ｂで覆われるようになっている。
【００１８】
上記凹所２０ａは、二つの円形部が縦に並ぶ略小判状の長穴形状を有しており（図４（Ａ）参照）、上部側においては上記円形部が表側から底側に通しで形成される一方、下部側においては上記円形部が底側において形成され、表側には上記円形部を狭める形状の壁部が形成されている。上記凹所２０ａの上部側から入れられて上記底側に在る物は、上記壁部によって上記凹所２０ａから離脱し難いようになっている。
【００１９】
上記外壁下地２０は、耐火性を有する板材からなり、外壁パネル２の屋外側に取り付けられている。そして、この外壁パネル２は、例えば、Ｃチャンネルを組み合わせた四角形状のフレーム２１を備えており、このフレーム２１は、梁３に取り付けられた支持部３１にボルト等によって固定されている。
【００２０】
図３（Ａ）、図３（Ｂ）および図３（Ｃ）に示すように、上記外壁タイル１は、上記上部側１ａが上記外壁下地２０に近接し、上記下部側１ｂが上記外壁下地２０から離間するような段形状に形成されている。上記離間の幅は、上部側１ａの厚さに対応しており、上下方向に配置される複数の外壁タイル１は、いわゆる相決り（あいじゃくり）継手形式で取り付けられる。
【００２１】
また、上記外壁タイル１の左側の下面部には、突出部１２が形成され、また、上記外壁タイル１の右側の下面部には、隣の外壁タイル１における上記突出部１２が収容される凹部１３が形成されており、左右に隣り合う上記外壁タイル１、１は、上記突出部１２と上記凹部１３の箇所を重ね合わせて設けられる。なお、上記突出部１２と上記凹部１３の左右凹凸関係を逆にすることもできる。
【００２２】
上記係合突起部１１は、例えば、金属等からなり、上記上部側１ａの裏面に直交する方向に延びる首部（軸部）と、この首部の先端に位置し、上記首部よりも大径の略円錐台形状（首部側ほど小径）をなす頭部とを有する。なお、この実施形態では、上記係合突起部１１における上記頭部と反対側の端には、当該頭部と略同形状の大径部が形成されており、この大径部が上部側１ａの表面側に露呈し、当該大径部が上記首部（軸部）および上記上部側１ａに例えば接着剤によって固定されている。もちろん、接着剤ではなく、かしめ等によって、上記大径部が上記首部（軸部）および上記上部側１ａに固定されていてもよい。
【００２３】
上記凹所２０ａ内には受け部材２５が装着されている。この受け部材２５は、例えば、金属板を加工してなり、中空で略円錐台形状を有している。上記凹所２０ａの上部側から入れられて当該凹所２０ａの下部側の底側に在る上記受け部材２５は、上記壁部によって上記凹所２０ａから離脱し難い状態となっている。また、上記受け部材２５には、図４（Ａ）および図４（Ｂ）に示すように、上記係合突起部１１の頭部が収容される頭部収容部２５ａと、上記係合突起部１１の首部を下方にスライドさせて、この首部を支持することができる首部収容部２５ｂが形成されている。首部収容部２５ｂの上方側には、上記係合突起部１１の頭部を挿通させる切欠き部が形成されている。
【００２４】
図５（Ａ）、図５（Ｂ）および図５（Ｃ）に示すように、上記外壁下地２０に鋼板からなる板状部材５が接着剤等により貼られている。そして、上記凹所２０ａが位置する上記板状部材５の対応箇所には、上記係合突起部１１が通される孔部５１が形成されている。上記板状部材５は、例えば、板厚１．６ｍｍ程度の鋼板からなる。
【００２５】
図６に示すように、上記孔部５１の上部側には上記係合突起部１１の頭部が挿通できる略円形の挿通部５１ａが形成されており、上記孔部５１の下部側には上記係合突起部１１の首部を下方にスライドさせることができる略Ｕ字状のスライド部５１ｂが形成されている。すなわち、上記孔部５１は、上記受け部材２５の首部収容部２５ｂと同様の部位を持っている。もちろん、上記孔部５１は、上記受け部材２５の頭部収容部２５ａを含むような大きな円形状に形成されていてもよい。
【００２６】
上記板状部材５は、水平方向に複数枚離間して設けられており、各板状部材５には上記孔部５１が縦に所定間隔で配置された列が２列形成されている。そして、水平方向に隣り合って配置される一方の側の外壁タイル１の上記係合突起部１１用として上記２列のうちの１列を用いるとともに、他方の側の外壁タイル１の上記係合突起部１１用として他の１列を用いて上記外壁タイル１を取り付けている。また、水平に隣り合う板状部材５の間に配置される上記外壁タイル１と上記外壁下地２０との間に、上記板状部材５の板厚に対応する隙間部が形成される。
【００２７】
上記板状部材５は、左右に隣り合う外壁下地２０の間に形成される縦目地２８を塞がないように当該縦目地２８の左右両側に設けられており、上記外壁タイル１が上記縦目地２８を塞ぐように設けられる。
【００２８】
また、上記板状部材５は、上下に配置される外壁下地２０の間に形成される横目地２９を塞がないように、上下に連続するように設けられており、上記外壁タイル１が上記横目地２９を塞ぐように設けられる。
【００２９】
外壁の出隅箇所には、断面Ｌ字形状の外壁タイル１Ｃが取り付けられる。そして、上記外壁タイル１Ｃと上記外壁タイル１との間には、外壁タイル１Ｂが取り付けられる。外壁タイル１Ｂは外壁タイル１よりも幅が短いものとなっている。また、この幅に対応して、上記出隅付近に設けられる２枚の板状部材５の間隔も狭くなっている。
【００３０】
上記の構成であれば、上記外壁タイル１の上部側１ａの裏面に設けられた係合突起部１１を、上記凹所２０ａに掛けることによって上記外壁タイル１が上記外壁下地２０に貼られることになる。すなわち、外壁タイル１は外壁下地２０に螺子等で締結されず、位置的な融通性（自由度）が得られるので、この外壁下地２０の不陸の影響を軽減して極力フラットな外壁タイル仕上げ面を形成することが容易となる。また、上記外壁タイル１の上部側１aが、上側に設けられる他の外壁タイル1で覆われ、また、上記突出部１２と凹部１３が重なるため、上下配置の外壁タイル１の目地が空目地でも雨水が浸入し難い。
【００３１】
上記凹所２０ａ内に受け部材２５が装着されており、この受け部材２５に、上記係合突起部１１の頭部が収容される頭部収容部２５ａと、上記係合突起部１１の首部を下方にスライドさせることができる首部収容部２５ｂとが形成されていてもよい。これによれば、上記外壁タイル１による荷重が上記凹所２０ａに直接加わらず、上記受け部材２５を介して凹所２０ａに加わるため、この凹所２０ａの欠け等を抑制することができる。
【００３２】
上記外壁下地２０に板状部材５が貼られており、上記板状部材５の上記凹所２０ａが位置する箇所には、上記係合突起部１１が通される孔部５１が形成されていてもよい。これによれば、上記外壁タイル１は上記板状部材５の表面位置を基準に配置されることになる。上記外壁下地２０の表面よりも上記板状部材５の表面をフラットに形成することは容易であるので、フラットな外壁タイル仕上げ面を形成することがより容易になる。また、上記板状部材５によって上記外壁下地２０が補強される利点もある。
【００３３】
上記孔部５１の上部側には上記係合突起部１１の頭部が挿通できる挿通部５１ａが形成されており、上記孔部５１の下部側には上記係合突起部１１の首部を下方にスライドさせることができるスライド部５１ｂが形成されていてもよい。これによれば、上記孔部５１が上記受け部材２５の首部収容部２５ｂと同様の部位を持つことになり、上記外壁タイル１の支持がより強固に行えるようになる。
【００３４】
上記板状部材５が水平方向に複数枚離間して設けられており、各板状部材５には上記孔部５１が縦に所定間隔で配置された列が２列形成されていていると、水平方向に隣り合って配置される一方の側の外壁タイル１の１つの係合突起部１１用として上記２列のうちの１列を用いるとともに、他方の側の外壁タイル１の１つの係合突起部１１用として他の１列を用いて上記外壁タイルを取り付けていくことができる。また、水平に隣り合う板状部材５の間に配置される上記外壁タイル１と上記外壁下地２０との間に、上記板状部材５の板厚に対応する隙間部が形成され、この隙間によって雨水を排水することができる。
【００３５】
上記板状部材５が、左右に隣り合う外壁下地２０の間に形成される縦目地２８を塞がないように当該縦目地２８の左右両側に設けられており、上記外壁タイル１が上記縦目地２８を塞ぐように設けられていると、左右に隣り合う外壁下地２０に多少の出入りがあっても、上記外壁タイル１は上記外壁下地２０に螺子等で固定されず、位置的な融通性が得られていることから、上記外壁タイル１を取り付けることが可能であり、また、左右に隣り合う外壁下地２０に多少の出入りがあることによる不陸を目立たなくすることができる。また、左右に隣り合う外壁下地２０は、地震等でずれ動くことが生じるが、上記外壁タイル１は、上記外壁下地２０に螺子等で固定されず、位置的な融通性が得られていることから、上記外壁下地２０の面内方向のずれ動きに対する障害になり難い。
【００３６】
上記板状部材５が、上下に配置される外壁下地２０の間に形成される横目地２９を塞がないように、上下に連続するように設けられており、上記外壁タイル１が上記横目地２９を塞ぐように設けられていると、上下に配置される外壁下地２０に多少の出入りがあっても、上記外壁タイル１は上記外壁下地２０に螺子等で固定されず、位置的な融通性が得られていることから、上記外壁タイル１を取り付けることが可能であり、また、上下に隣り合う外壁下地２０に多少の出入りがあることによる不陸を目立たなくすることができる。また、上記と同様、上記外壁タイル１は、上記外壁下地２０に螺子等で固定されず、位置的な融通性が得られていることから、上記外壁下地２０の面内方向のずれ動きに対する障害になり難い。
【００３７】
なお、上記の例では、接着剤を全く使わないこととしたが、これに限定されるものではなく、例えば、上記係合突起部１１の頭部が、上記受け部材２５の頭部収容部２５ａ内で接着固定されるように接着剤を用いてもよいものである。
【００３８】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３９】
１      ：外壁タイル
１Ｂ    ：外壁タイル
１Ｃ    ：外壁タイル
１ａ    ：上部側
１ｂ    ：下部側
２      ：外壁パネル
５      ：板状部材
１１    ：係合突起部
１２    ：突出部
１３    ：凹部
２０    ：外壁下地
２０ａ  ：凹所
２１    ：フレーム
２５    ：受け部材
２５ａ  ：頭部収容部
２５ｂ  ：首部収容部
２８    ：縦目地
２９    ：横目地
３１    ：支持部
５１    ：孔部
５１ａ  ：挿通部
５１ｂ  ：スライド部
【図１】
2017227047.tif 000003
【図２】
2017227047.tif 000004
【図３】
2017227047.tif 000005
【図４】
2017227047.tif 000006
【図５】
2017227047.tif 000007
【図６】
2017227047.tif 000008